【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
複数のセルを含むセルラー通信システムにおいて動作する送受信機の方法であって、
第１のセルからの送信信号を受信する工程（５００）と、
干渉信号と、該干渉信号の占有時間及び占有周波数の少なくとも１つとを判定する工程（５０２）と、
受信信号の減少を該受信信号の受信値に対して全体でゼロに設定するか、又は、当該減少を前記受信値に対して部分的に影響の少ない量で与える減少値であって、前記受信信号について実行される信号処理の信号値の影響を減少させるように解釈され、前記受信信号の受信値に関連する、前記干渉信号の前記占有時間及び占有周波数の少なくとも１つに対応する前記受信信号の前記減少値を、判定する工程（５０４）と、
チャネル品質の計算に対して望まれる前記受信信号であるか、望まれない前記受信信号であるかの比率を測定する工程（５０６）と、
前記測定された比率及び前記判定された減少値の量に基づき、チャネル品質指標（ＣＱＩ）を形成する工程（５０８）と、
前記ＣＱＩを前記セルラー通信システムに報告する工程（５１０）と
を含むことを特徴とする方法。
【請求項２】
複数のセルを含むセルラー通信システムにおいて動作する送受信機の方法であって、
第１のセルからの送信信号を受信する工程（６００）と、
チャネル品質の計算に対して望まれる受信信号であるか、望まれない前記受信信号であるかの比率を測定する工程（６０２）と、
干渉信号と、該干渉信号の占有時間及び占有周波数の少なくとも１つとを判定する工程（６０４）と、
前記受信信号の減少を該受信信号の受信値に対して全体でゼロに設定するか、又は、当該減少を前記受信値に対して部分的に影響の少ない量で与える減少値であって、前記受信信号で実行される信号処理の信号値の影響を減少させるように解釈され、前記受信信号の受信値に関連する、前記干渉信号の前記占有時間及び占有周波数の少なくとも１つに対応する前記受信信号の前記減少値を、判定する工程（６０６）と、
前記減少に関する有効符号レートを算出する工程（６０８）と、
前記減少に基づき適応容量を算出する工程（６１０）と、
容量又は前記適応容量をチャネル品質指標（ＣＱＩ）にマッピングする工程（６１２）と、
前記ＣＱＩを前記セルラー通信システムに報告する工程（６１４）と
を含むことを特徴とする方法。
【請求項３】
前記比率を測定する前記工程（６０２）の後に、
前記測定した比率を推定容量にマッピングする工程（６０９）と、
前記推定容量に基づき、任意の減少を考慮する必要があるか否かを判定し（６０３）、前記減少を考慮する必要があると判定すると、前記受信信号の減少値を判定する工程（６０８）、有効符号レートを算出する工程（６０８）、及び前記減少に基づき適応容量を算出する工程を実行し、前記減少を考慮する必要がないと判定すると、それらの工程の実行を省略する工程と
をさらに含むことを特徴とする請求項２に記載の方法。
【請求項４】
前記セルラー通信システムは、第２のセルをさらに備え、
前記第２のセルは、前記第１のセルの有効範囲領域全体を実質的に含み、送信をスケジュールする前記第１のセルと同時に少なくとも１つのサブフレームを送信するように構成され、
前記干渉信号の判定する前記工程は、前記第２のセルからの前記少なくとも１つのサブフレーム中に送信された複数のシンボルの存在を判定する工程を含むことを特徴とする請求項１乃至３の何れか１項に記載の方法。
【請求項５】
前記第２のセルは、前記第１のセルが送信をスケジュールすることができるように、データシンボルを含むことなく参照シンボルのみを含む、少なくとも１つのサブフレームを送信するように構成され、
前記減少値を判定するために考慮すべき前記干渉信号は、前記第２のセルから送信された前記参照シンボルに対応していることを特徴とする請求項４に記載の方法。
【請求項６】
前記干渉信号を判定する前記工程は、前記送受信機の内部で生成されたスプリアス信号を判定する工程を含むことを特徴とする請求項１乃至５の何れか１項に記載の方法。
【請求項７】
前記ＣＱＩを形成する工程（５０８）は、さらに、前記サブフレームの前記判定された減少値の前記占有時間及び占有周波数の少なくとも１つの位置に基づくことを特徴とする請求項１乃至６の何れか１項に記載の方法。
【請求項８】
前記ＣＱＩを形成する工程は、さらに、前記判定された減少値の割り当てサイズに基づくことを特徴とする請求項１乃至７の何れか１項に記載の方法。
【請求項９】
複数のセルを含むセルラー通信システムにおいて動作する送受信機（８００）であって、
第１のセルからの送信信号を受信する受信機（８０２）と、
干渉信号と、該干渉信号の占有時間及び占有周波数の少なくとも１つとを判定する干渉モニタと、
受信信号の減少を該受信信号の受信値に対して全体でゼロに設定するか、又は、当該減少を前記受信値に対して部分的に影響の少ない量で与える減少値であって、前記受信信号で実行される信号処理の信号値の影響を減少させるように解釈され、前記受信信号の受信値に関連する、前記干渉信号の前記占有時間及び占有周波数の少なくとも１つに対応する前記受信信号の前記減少値を、判定する減少判定回路（８１０）と、
チャネル品質の計算に対して望まれる前記受信信号であるか、望まれない前記受信信号であるかの比率を測定する信号測定回路（８０６）と、
前記測定された比率及び前記判定された減少値の量に基づき、チャネル品質指標（ＣＱＩ）を形成するプロセッサ回路（８０８）と、
前記ＣＱＩを前記セルラー通信システムに報告する送信機（８０４）と
を備えることを特徴とする送受信機。
【請求項１０】
複数のセルを含むセルラー通信システムにおいて動作する送受信機（８００）であって、
第１のセルからの送信信号を受信する受信機（８０２）と、
チャネル品質の計算に対して望まれる受信信号であるか、望まれない前記受信信号であるかの比率を測定する信号測定回路（８０６）と、
前記受信信号で実行される信号処理の信号値の影響を減少させるように、前記受信信号の減少を該受信信号の受信値に対して全体でゼロに設定するか、又は、当該減少を前記受信値に対して部分的に影響の少ない量で与える、前記受信信号の受信値に関連する減少値であって、占有時間及び占有周波数の少なくとも１つに対応する前記受信信号の前記減少値を判定する減少判定回路（８１０）と、
前記減少に関する有効符号レートを算出し、前記減少に基づき適応容量を算出し、前記適応容量をチャネル品質指標（ＣＱＩ）にマッピングするプロセッサ回路（８０８）と、
前記ＣＱＩを前記セルラー通信システムに報告する送信機（８０４）と
を備えることを特徴とする送受信機。
【請求項１１】
前記プロセッサ回路（８０８）は、さらに、
測定した比率を推定容量にマッピングし、前記適応容量に基づき、任意の減少を考慮する必要があるか否かを判定し、前記減少を考慮する必要があると判定すると、前記減少判定回路を有効にして前記受信信号の減少値を判定させ、前記減少を考慮する必要がないと判定すると、前記減少判定回路を無効にし、前記測定した比率をマッピングした前記推定容量は、前記適応容量として使用され、有効符号レートの算出は省略されることを特徴とする請求項１０に記載の送受信機。
【請求項１２】
前記セルラー通信システムは、第２のセルをさらに備え、
前記第２のセルは、前記第１のセルの有効範囲領域全体を実質的に含み、送信をスケジュールする前記第１のセルと同時に少なくとも１つのサブフレームを送信するように構成され、
前記干渉信号の判定は、前記第２のセルからの前記少なくとも１つのサブフレーム中に送信された複数のシンボルの存在を判定することを特徴とする請求項９乃至１１の何れか１項に記載の送受信機。
【請求項１３】
前記第２のセルは、前記第１のセルが送信をスケジュールすることができるように、データシンボルを含むことなく参照シンボルのみを含む、少なくとも１つのサブフレームを送信するように構成され、
前記減少値を判定するために考慮すべき前記干渉信号は、前記第２のセルから送信された前記参照シンボルに対応していることを特徴とする請求項１２に記載の送受信機。
【請求項１４】
前記減少判定回路（８１０）は、さらに、前記送受信機の内部で生成されたスプリアス信号に対応する減少値を判定する工程を含むことを特徴とする請求項９乃至１３の何れか１項に記載の送受信機。
【請求項１５】
前記プロセッサ回路（８０８）は、さらに、前記サブフレームの前記判定された減少値の前記占有時間及び占有周波数の少なくとも１つの位置に前記ＣＱＩが基づくように構成されることを特徴とする請求項９乃至１４の何れか１項に記載の送受信機。
【請求項１６】
前記プロセッサ回路（８０８）は、さらに、前記判定された減少値の割り当てサイズに前記ＣＱＩが基づくように構成されることを特徴とする請求項９乃至１５の何れか１項に記載の送受信機。
【請求項１７】
請求項１乃至８の何れか１項に記載の方法の各工程を送受信機に実行させるように構成された該送受信機のプロセッサによって実行されるコンピュータで実行可能な命令を含むコンピュータプログラム。